(57)【要約】  本発明は、表示装置（１）用の光導波システム（２０）及びその種の表示装置（１）に関する。光導波システム（２０）は少なくとも一つの光導体群（２０−１，２０−２，２０−３，２０−４，２０−５，２０−６）を有している。少なくとも一つの光導体群（２０−１，２０−２，２０−３，２０−４，２０−５）は、ＬＥＤ（１４）の光に対して透過性の材料から成る複数の光導体（１８）と、回路基板（１２）とフロントパネル（２）との間の間隔を調整する間隔保持部（３４）と、光に対して透過性の材料から製造されており、複数の光導体（１８）をそれぞれ包囲しており、且つ、光導体（１８）と間隔保持部（３４）を重なり合って相互に接続するケーシング（２２）とを有している。
2013545118.tif 000002
【特許請求の範囲】
【請求項１】
表示装置（１）用の光導波システム（２０）において、
前記光導波システム（２０）は一つ又は複数の光導体群（２０−１，２０−２，２０−３，２０−４，２０−５，２０−６）を有しており、
少なくとも一つの光導体群（２０−１，２０−２，２０−３，２０−４，２０−５）は、
ＬＥＤ（１４）の光に対して透過性の材料から成る複数の光導体（１８）と、
回路基板（１２）とフロントパネル（２）との間の間隔を調整する間隔保持部（３４）と、
前記光に対して透過性の材料から製造されており、前記複数の光導体（１８）をそれぞれ包囲しており、且つ、前記光導体（１８）と前記間隔保持部（３４）を重なり合って相互に接続するケーシング（２２）とを有していることを特徴とする、光導波システム（２０）。
【請求項２】
前記間隔保持部（３４）は前記ケーシング（２２）の一部として形成されている、請求項１に記載の光導波システム（２０）
【請求項３】
前記ケーシング（２２）は、前記回路基板（１２）とフロントパネル（２）との間に形成されている間隙（３０）において個々の前記光導体（１８）をそれぞれ完全に包囲している、請求項１又は２に記載の光導波システム（２０）。
【請求項４】
前記ケーシング（２２）はケーシングシリンダ（２４）及びウェブ（３８）を形成しており、
前記ケーシングシリンダ（２４）は円筒状の外周において前記光導体（１８）をそれぞれ包囲しており、
前記ウェブ（３８）は前記ケーシングシリンダ（２４）及び前記間隔保持部（３４）を相互に接続している、請求項３に記載の光導波システム（２０）。
【請求項５】
前記ウェブ（３８）は前記フロントパネル（２）に載置するために形成されている、請求項４に記載の光導波システム（２０）
【請求項６】
一つの光導体群（２０−１，２０−２，２０−３，２０−４，２０−５）の前記複数の光導体（１８）の前面（１９）は、前記表示装置（１）の表示面を形成するために、一つの共通の垂直な平面内に位置しており、前記共通の垂直な平面は前記フロントパネル（２）の平面の手前又は前記フロントパネル（２）の平面内に位置している、請求項１乃至５のいずれか一項に記載の光導波システム（２０）。
【請求項７】
前記光導体（１８）の材料は、前記光導体（１８）の前面（１９）から放出される光が実質的に外部空間全体において散乱されるように濁っているか、濁らされているか、又は、光散乱性である、請求項１乃至６のいずれか一項に記載の光導波システム（２０）。
【請求項８】
前記ケーシング（２２）と接触している前記光導体（１８）の円筒状の表面は、光の屈折による損失を最小にするために高光沢研磨されている、請求項１乃至７のいずれか一項に記載の光導波システム（２０）。
【請求項９】
前記間隔保持部（３４）はそれぞれ、前記回路基板（１２）を前記フロントパネル（２）に固定するためのねじ又はボルト（３５）を収容するための貫通孔を有している、請求項１乃至８のいずれか一項に記載の光導波システム（２０）。
【請求項１０】
前記光導波システム（２０）は複数の別個の光導体群（２０−１，２０−２，２０−３，２０−４，２０−５，２０−６）を有しており、該複数の別個の光導体群（２０−１，２０−２，２０−３，２０−４，２０−５，２０−６）の間隔保持部（３４）は、前記フロントパネル（２）と前記回路基板（１２）との間において等しい間隔を形成するために同じ長さを有しており、且つ、複数の別個の光導体群（２０−１，２０−２，２０−３，２０−４，２０−５，２０−６）の光導体（１８）は同じ長さを有している、請求項１乃至９のいずれか一項に記載の光導波システム（２０）。
【請求項１１】
前記光導波システム（２０）は六つの光導体群（２０−１，２０−２，２０−３，２０−４，２０−５，２０−６）を有しており、
該六つの光導体群（２０−１，２０−２，２０−３，２０−４，２０−５，２０−６）の内、
第１の光導体群（２０−１）は押しボタン（６）の隣の表示フィールド（１９）用の２４個の光導体（１８）を有しており、
第２の光導体群（２０−２）はスライド式制御部（４）の表示フィールド（１９）用の、及び／又は該スライド式制御部（４）をアクティブにするためのキー用の１６個の光導体（１８）を有しており、
第３の光導体群（２０−３）はスライド式制御部（４）及び補完的なキー又はプッシュスイッチにおける表示フィールド（１９）用の１９個の光導体（１８）を有しており、
第４の光導体群（２０−４）は２０個から３０個、例えば２８個の光導体（１８）を有しており、それらの光導体の内、例えば２４個の光導体（１８）は、棒状の光又は帯状の光を表示するための垂直方向の二つの列に配置されている表示フィールド（１９）のために設けられており、
第５の光導体群（２０−５）は５個の光導体（１８）を有しており、それらの光導体の内、３個の光導体（１８）は相互に密に隣接して配置されており、別の２個の光導体（１８）は相互に密に隣接して配置されており、
第６の光導体群（２０−６）は光導体（１８）及び間隔保持部（３４）を一つだけ有している、請求項１乃至１０のいずれか一項に記載の光導波システム（２０）。
【請求項１２】
複数のＬＥＤ（１４）を制御するための回路基板（１２）と、
ユーザが観察する表示面（１９）を表すため、又は形成するためのフロントパネル（２）とを備えている、携帯可能なミキシングアンプのための表示装置（１）において、
前記複数のＬＥＤ（１４）は、ＳＭＤ−ＬＥＤ（１４）としてＳＭＤ技術により前記回路基板（１２）上に実装されており、
前記ＳＭＤ−ＬＥＤ（１４）と前記フロントパネル（２）との間には、請求項１乃至１１のいずれか一項に記載の光導波システム（２０）が設けられており、
前記光導波システム（２０）の前記光導体（１８）の後ろ側の端面（２８）は、前記ＳＭＤ−ＬＥＤ（１４）の手前又は前記ＳＭＤ−ＬＥＤ（１４）上に位置決めされており、
前記光導体（１８）の前面（１９）は、前記表示面を形成するために、前記フロントパネル（２）の手前又は前記フロントパネル内に位置決めされていることを特徴とする、表示装置（１）。
【請求項１３】
前記光導体（１８）は前記フロントパネル（２）における貫通部（２６）又は自由空間から突出しており、
前記光導体（１８）の前記前面（１９）は前記フロントパネル（２）の手前又は前記フロントパネル（２）内で一つの共通の平面に位置決めされている、請求項１２に記載の表示装置（１）。
【請求項１４】
前記光導体群（２０−１，２０−２，２０−３，２０−４，２０−５，２０−６）の前記ケーシング（２２）のウェブ（３８）は前記フロントパネル（２）の内面に載置されている、請求項１２又は１３に記載の表示装置（１）。
【請求項１５】
前記表示装置（１）は、表示及び操作装置（１）として形成されており、
前記回路基板（１２）上に調整可能な複数のポテンショメータ（１５）が設けられており、
前記ポテンショメータ（１５）を調整する操作素子（３，４，５）が前記フロントパネル（２）から張り出しており、
前記フロントパネル（２）には、前記操作素子（３，４，５）と前記ポテンショメータ（１５）との間の作用結合部のための開口部（３２）が形成されており、
前記光導体（１８）は前記間隙（３０）において、前記光導体群（２０−１，２０−２，２０−３，２０−４，２０−５，２０−６）の前記ケーシング（２２）によって前記開口部（３２）から遮蔽されている、請求項１０乃至１３のいずれか一項に記載の表示装置（１）。
【請求項１６】
前記フロントパネル（２）及び前記回路基板（１２）は、前記間隔保持部（３４）によって相互に間隔を空けて設けられており、且つ、前記間隔保持部（３４）を通って案内されるねじ又はボルト（３５）を用いて相互に固定されている、請求項１２乃至１５のいずれか一項に記載の表示装置。
【発明の詳細な説明】
【背景技術】
【０００１】
ライブパフォーマンス用のミキシングアンプ、特に携帯可能なミキシングアンプは一般的に、電気的な音信号、例えばマイクロフォン及び電気的又は電子的な機器からの音信号のための複数の信号入力端と、スピーカに接続するための複数の出力端とを備えている。ユーザは相応の操作素子、例えば回転ポテンショメータ、スライドポテンショメータ及びプッシュキーを介して、個々の入力チャネルを所期のように増幅し、信号整形のような別の機能並びにモノラル、シングル等の特別な機能を調整し、出力信号を出力チャネルへと出力することができる。操作素子は一般的に、表示装置と操作装置が組み合わされた装置上に取り付けられており、そのような装置は例えばミキシングアンプの前面に配置されている。
【０００２】
操作素子には操作素子の状態、例えばセット又は未セットを視角化するため、また必要に応じて信号レベルを表すための表示フィールドが設けられている。表示フィールドとして特にＬＥＤが設けられており、それらのＬＥＤを例えばそれぞれの操作素子の隣に配置することができる。
【０００３】
このために、一般的には複数のＬＥＤがフロントパネルに取り付けられており、このフロントパネルはミキシングアンプの外側端部を形成している。フロントパネルには種々の操作素子のための穿孔乃至開口部が設けられている。ＬＥＤは相応の電気的及び電子気的なコンポーネントを備えている回路基板、例えばボードを介して制御される。回路基板は一般的にフロントパネルの裏において距離を置いて設けられているので、それにより間隙が形成される。接触接続のために、導体が回路基板から間隙を通りＬＥＤへと案内されている。
【０００４】
それらのＬＥＤのプラスチックボディは一般的に、ＬＥＤが見える色に着色されている。それらの色は一般的に、フロントパネルの一般的な着色とは一致していないので、フロントパネル上又はその操作表面上のスイッチオフされたＬＥＤを認識することができてしまう。
【０００５】
ＬＥＤの構造の高さは製造技術的に惹起される製造公差に起因して不均一であり、ＬＥＤがフロントパネルに取り付けられる場合には、ＬＥＤが均一には位置調整されていないか、又はその前面が共通の垂直な平面を表さないので、ユーザはこの不均一を認識することができる。
【０００６】
ボードとフロントパネルとの間の所望の間隔を保証するために、例えば個別の間隔保持部が複数個挿入されるので、従って、間隔保持部の取り扱いはある程度の実装の煩雑さを伴うことになる。
【０００７】
製造プロセス中の安全な搬送のために、一般的には、特に導線接続部の精密度に基づき、またボードに相対的なフロントパネルの確実な固定のために特別な保全措置が必要とされる。
【０００８】
特許文献１には、種々のチャネルを有する入力／出力インタフェースを備えている、音楽用のミキシングコンソールが開示されている。このミキシングコンソールにおいては、所望の情報を表示するためのディスプレイ又は表示フィールドが設けられている。更に、ユーザが押すことのできるボタン内には、ボタンのアクティブな状態を表示するために光源が配置されている。
【０００９】
押しボタン内に光源をそのように取り付けることによって、確かにユーザにとっては直接的で視覚的な対応付け及び迅速な認識が実現されるが、しかしながら光源の接触接続部は調節時に機械的な負荷に晒されるので、それにより例えば接触接続部の破損、また同様の問題が発生する可能性がある。
【先行技術文献】
【特許文献】
【００１０】
【特許文献１】WO 2007/110576 A1
【発明の概要】
【発明の効果】
【００１１】
本発明によれば、ＬＥＤが回路基板、例えばボード上に取り付けられており、従って表示フィールドが形成されているフロントパネルからは距離を置いて設けられている。光はＬＥＤから光導体を介して表示フィールドへと案内される。
【００１２】
これによって既に幾つかの利点が達成される。つまり本発明によれば、回路基板にＬＥＤを結線させて実装すること、もしくはＬＥＤと回路基板との間に導線を案内することは省略される。従って、比較的高い機械的な安定性、特に、携帯可能なミキシングアンプの震動に対する安定性も達成される。また本発明によれば、ＬＥＤを結線によって実装すること、又はそのようにしてＬＥＤを取り付ける作業ステップは欠陥が生じやすくコストが掛かることが分かるが、このことは、回路基板にＬＥＤを取り付け、ＬＥＤからフロントパネルへと光を案内することによって驚く程簡単なやり方で回避することができる。
【００１３】
ＬＥＤを特にＳＭＤ−ＬＥＤとして、即ちＳＭＤ（表面実装デバイス）技術により回路基板上に直接的に固定することができる。ＳＭＤ実装は技術的に複雑ではなく、またフロントパネルに対するＬＥＤの実質的に一定の間隔を保証する。本発明によれば、光導体がＬＥＤに直接的に載置されずに、その後ろ側の端面がＬＥＤの少し手前に配置されていることによって、ＬＥＤの製造技術的な公差及び回路基板上のＬＥＤの実装の製造技術的な公差は重要ではなくなる。
【００１４】
従って、本発明によれば、ＬＥＤとフロントパネルとの間には同じ長さの光導体を配置することができ、それにより光導体を規格化することができ、また廉価に製造することができる。光導体の前面又は表面は有利にはフロントパネルの開口部を貫通して突出しており、それにより光導体の前面を直接的に外側に向けられている表示フィールドとして認識することができる。
【００１５】
これによって複数の利点が達成される。つまり、光導体内での光の損失が少ない。それどころか、意図的に、光導体に対して僅かではあるがある程度濁っているか又は濁らされている材料を選択することができ、これによって光の案内は過度に指向性には行われず、従って光は光導体の前面から指向性の光放射として照射されない。つまり僅かな濁りによって、比較的大きな空間角度領域にわたる均一な放射特性をフロントパネルの外側の外部空間において達成することができる。その種の僅かな濁りは輝度にとっては問題にならず、フロントパネルに直接的にＬＥＤが取り付けられる場合よりも色調が抑えられた均一な外観を実現する。
【００１６】
本発明によれば、光導体は一つ又は複数の光導体群に統合されている。少なくとも一つの光導体群は複数の光導体を有しており、それらの光導体は共通のケーシングによって一緒に保持されているか、又は相互に接続されている。つまり、複数の光導体を少数の光導体群に統合することができ、従って、光導体の位置決め及び案内を高い精度で行ないつつ実装を簡略化することができる。
【００１７】
ケーシングは有利には補完的に、妨害的な光が光導体の（有利には円筒状の）側壁を介して回路基板とフロントパネルとの間の間隙に漏れ出ることを阻止するためにも使用される。つまり、このためにケーシングの材料が有利にはＬＥＤの光に対しても十分に非透過性である。
【００１８】
本発明が基礎とする着想は、フロントパネルに種々の操作素子のための穿孔乃至開口部が形成されており、間隙に到達した光が場合によってはそれらの開口部を介して漏れ出て、それにより認識される恐れがあるということである。従って、妨害的に作用するバックライトとしての微光をそれらの開口部において認識できる可能性があるが、このことは本発明により回避される。
【００１９】
このために、光導体を適切なケーシング、特にケーシングシリンダ乃至光導体シリンダによって包囲することができ、それらシリンダは例えば摩擦結合によって、又は素材結合によって光導体を固定的に収容する。製造のために、光導体はケーシングに注入されるか、光導体及びケーシングが別個に製造されて、続けて光導体が射出成形部として製造されたケーシングに圧入される。
【００２０】
更に本発明によれば、フロントパネルと回路基板との間の間隔を調整するために、間隔保持部が設けられている。間隔保持部は光導体と接続されているので、それにより小型の構造素子群が形成される。特別有利な実施の形態によれば、間隔保持部はケーシングの一部として形成されており、それによりケーシングは間隔保持部、光導体を包囲するケーシングシリンダ及び接続のために使用されるウェブ乃至接続領域と共にワンピースで形成される。従って非常に廉価な構造が実現される。更には、非常に簡単で確実な実装が実現される。このために、例えば複数の光導体群がフロントパネルに配置され、続けて回路基板をこのユニットに配置して固定することができる。この場合、間隔保持部を回路基板用のセンタリング補助部として使用することができる。従って、ＬＥＤの手前における光導体の正確な位置決めが保証されている。
【００２１】
光導体がケーシングと固定的に接続されていることによって、ＬＥＤ並びにフロントパネルに対する光導体の正確な固定、特に適切な位置が実現される。
【００２２】
本発明による光導波システムは特に複数の別個の光導体群を有することができる。本発明による光導波システムの正確な形成を、ＬＥＤによって照明すべき個々の表示フィールドの位置及び相対的な配置に依存させることができる。一般的には、表示フィールドを、例えばそれぞれの操作素子の隣において、また、ライトバー又は点列によって信号強度を表示するために、ミキシングアンプの全面全体にわたり分散させることができるので、複数の別個の光導体群を使用することができる。
【００２３】
別個の複数の光導体群を使用することによって、確かに取り扱いや処理が差し当たり若干増えることになるが、しかしながらそれによって、付加的な手段又は装置をフロントパネルの裏に取り付けるための自由構造を実現することができる。更には、これによってケーシング材料を節約することができる。
【００２４】
複数のＬＥＤを個別に結線することに比べて、光導波システムの使用は明確な簡略化を実現する。ＳＭＤプロセスでのＬＥＤの実装は規格化されている。つまり、ボードにはいずれにせよ別のコンポーネントが実装されるので、ＳＭＤ−ＬＥＤをこの実装に組み込むことができる。続けて、小型のユニットとしての光導体群を載置し、またフロントパネル及びボードをその間に配置されている光導体群と共に統合し、例えばねじによって固定することができる。光導体群を挿入するという実装ステップは、従来の実装に比べて付加的なステップを意味するものではない。何故ならば、いずれにせよ複数のスペーサ乃至間隔保持部が異なる位置において必要とされており、また本発明によれば僅か数個の光導体群を使用するに過ぎないからである。つまり本発明によれば、迅速で簡単且つ確実な実装が実現される。
【００２５】
光導体を包囲する非透過性のケーシングを使用することにより、種々の光導体を相互に隣接させて配置することができる。つまり例えば、５ｍｍ以下の間隔で光導体を相互に密に隣接させて配置すると光の伝播乃至「ジャンプ」が生じる可能性があり、これによって不適切な表示が行なわれる恐れがある。このことは、光導体を包囲する非透過性のケーシングによって確実に回避される。
【００２６】
基本的に、一つ又は複数の光導体群が光導体を一つだけ有していることが考えられ、この場合には光導体が少なくとも一つの間隔保持部と組み合わされている。
【００２７】
光導体に対して透明又は未着色のプラスチック材料を使用することによって、光導体の前面によって形成される表示面はＬＥＤのスイッチオフの状態において無色である。このことは、着色されたプラスチック材料内に注型されているＬＥＤがフロントパネルの領域内に設けられており、有利には、ＬＥＤがこのフロントパネルを貫通して前方へと突出している場合の従来の外観に比べて、無色であり、従って視覚的に快適な外観が実現される。
【００２８】
本発明によれば、光導体の前面における非常に均一な外観を達成することができる。何故ならば、フロントパネルの手前における光導体の精確な位置を、フロントパネルにＬＥＤを直接的に取り付ける場合よりも正確に調整することができるので、それにより均一な高さが生じる。
【００２９】
光の屈折による損失を可能な限り少なくするために、ケーシングと接触している光導体の円筒状の表面を例えば高光沢研磨することができるか、又は必要に応じてコーティングを施すことができる。
【図面の簡単な説明】
【００３０】
【図１】本発明による表示及び操作装置の前面の斜視図を示す。
【図２】第４の光導体群の領域における、図１の表示及び操作装置の断面図を示す。
【図３】操作装置の領域における断面図を示す。
【図４】光導波システムの六つの光導体群の斜視図を示す。
【発明を実施するための形態】
【００３１】
図１及び図２に示されている表示及び操作装置１は、非透過性のプラスチック材料又は金属から成るフロントパネル２を有しており、このフロントパネル２には複数の操作素子３，４，５，６が設けられている。それらの操作素子として特に、回転ポテンショメータ用の回転つまみ３、スライドポテンショメータ４及び５並びに押しボタン６が考えられる。表示及び操作装置１は、ライブパフォーマンス用のサウンドミキシング及びサウンド増幅のための携帯可能な電子的なミキシングアンプの一部である。更には、フロントパネル２の外側に、例えば、種々のチャネルを接続するための接続ジャック９を備えている別のプレート８を設けることもできる。ミキシングアンプは種々の音源、例えばマイクロフォン並びに電気的な機器及び電気音響的な機器の電気的な音信号を受信し、ユーザが操作素子３，４，５及び６を介して設定したユーザセッティングに応じて種々の出力チャネルに出力することができる。それらの出力チャネルにはスピーカを直接的に接続することができる。
【００３２】
表示及び操作装置１は回路支持体１２としてボード１２を有しており、このボード１２はフロントパネル２の裏側で、そのフロントパネル２に平行に距離を置いて設けられている。従って、フロントパネル２とボード１２との間には間隙３０が形成される。
【００３３】
図２及び図３によれば、ボード１２上には複数のＳＭＤ−ＬＥＤ１４が取り付けられている。即ち、複数のＬＥＤ１４がＳＭＤ技術でボード１２の表面に固定及び接触接続されている。更には、ボード１２上には、例えば回転ポテンショメータ１５並びに別の電気的なコンポーネント及び別の電子的なコンポーネント、特にＳＭＤ−ＬＥＤ１４を制御するためのコンポーネントも実装されている。
【００３４】
ＬＥＤ１４の手前に光導体１８が位置決めされており、それら光導体１８の後ろ側の端面２８はＬＥＤ１４に対して短い間隔を有しており、また光導体１８の前面１９はフロントパネル２の領域における表示面として使用される。光導体１８の前面１９の内の幾つかは、図１からも見て取れるように、それぞれの機能の状態「セット−未セット」を表示するために押しボタン６の隣に配置されており、種々の入力チャネルに関して種々の機能が実現される。更には、表示面１９は例えばスライド式制御部４及び５、並びに回転つまみ３にも設けられている。
【００３５】
光導体１８は本発明による光導波システム２０の一部として形成されており、この光導波システム２０は図４において、六つの光導体群２０−１，２０−２，２０−３，２０−４，２０−５及び２０−６によって表されている。本発明によれば、光導波システム２０もしくは個々の光導体群２０−１から２０−６は、ボード１２の前面とフロントパネル２との間に配置されている。個々の光導体群２０−１から２０−６は異なる数の光導体１８を有しており、更には、フロントパネル２における表示面１９の相応の配置構成を要求するような、光導体１８相互の異なる幾何学的配置乃至相対的な配置構成を有している。ここで、光導体群２０−１から２０−５はそれぞれ複数の光導体１８を有しており、これに対し光導体群２０−６は単一の光導体１８しか有していない。
【００３６】
全体の光導体群２０−１から２０−６はそれぞれケーシング２２を有しており、以下では分かりやすくするために、種々のケーシング２２を区別しない。つまり、以下では複数の光導体１８を有している光導体群２０−１から２０−５を先ず詳細に説明する。ケーシング２２はそれぞれ、ＬＥＤ１４の光に対して非透過性のプラスチック材料から製造されており、またそれぞれが一つの光導体１８を包囲しており、且つ、固定的にその光導体１８を収容している複数のケーシングシリンダ２４を有している。光導体１８は例えばケーシング２２内に注入されており、それにより光導体の円筒状の外面はケーシング２２の非透過性のプラスチック材料によって覆われる。ケーシング２２の一部として形成されている円筒状のケーシングシリンダ２４は、ボード１２とフロントパネル２との間の間隙３０において光導体１８を完全に包囲しており、それにより光は漏れず、特に、回転つまみ３から回転ポテンショメータ１５へと延びる回転軸のためにフロントパネル２内に形成されている開口部３２を通過して間隙３０から光が漏れ出る可能性はない。
【００３７】
光導体１８の両端面１９及び２８はそれぞれ露出されており、前面１９は例えばフロントパネル２から僅かに突出しているか、又はフロントパネル２の開口部２６を貫通して挿入されており、それにより前面１９は、特に図３から見て取れるように、共通の垂直の平面から僅かに張り出している。光導体１８の後方の端面２８は有利には、ＬＥＤ１４の僅かに手前に位置決めされている。
【００３８】
光導体群２０−１から２０−６は更に間隔保持部３４を有しており、それらの間隔保持部３４はボード１２及びフロントパネル２の裏面に載置されており、また間隙３０の幅、即ちボード１２とフロントパネル２との間の距離を規定している。有利には補完的に、ねじ又はボルト３５が円筒状に形成されている間隔保持部３４を通るように配置されており、例えばボード１２の裏面ではナット３６によって締められており、それにより、一方では間隔が調整され、他方ではフロントパネル２におけるボード１２の堅い固定が達成される。
【００３９】
個々の光導体群２０−１から２０−６のケーシングシリンダ２４及び間隔保持部３４は、複数のウェブ３８から成る接続フレームを介して、それぞれ重なり合って相互に接続されており、またそれらのウェブ３８は実質的に矩形のパターンを形成している。最も小さい光導体群２０−６では、単一の間隔保持部３４と単一のケーシングシリンダ２４との間にウェブ３８が一つだけ設けられている。別の光導体群２０−１から２０−５では複数のウェブ３８が設けられており、それらのウェブは異なる形状及び異なる経過を有するように形成されている。図２によれば、ウェブ３８はフロントパネル２の内面と接触しており、それにより、フロントパネル２におけるケーシング２２の平坦な載置面が形成され、従ってこの載置面は、ＬＥＤ１４の手前且つフロントパネル２上における光導体１８の確実で安定した揺動しない、間隔保持部３４及びそのボルト３５によって機械的に固定された配置及び位置決めを保証する。基本的に、ケーシングシリンダ２４も既にある程度の間隔保持機能を有することができる。何故ならば、ケーシングシリンダ２４を側方においてボード１２上のＬＥＤ１４の隣に載置することができるからである。しかしながら本発明によれば、ＬＥＤ１４の外側において間隔保持機能を達成し、特に相応のプリバイアスを用いる機械的な固定をＬＥＤ１４の領域において行なわないために、別の間隔保持部３４を付加的に取り付けることは有利とみなされる。
【００４０】
個々の光導体群２０−１から２０−６を、特に、非透過性のプラスチック材料から成る射出成形部として形成することができ、従って廉価に製造することができる。基本的に、六つの光導体群２０−１から２０−６がやはりウェブ３８によって相互に接続されており、従って一つの共通の光導体群を表していることも考えられる。しかしながら、フロントパネル２の本発明による配置及び構成においては、その種の複数の光導体群２０−１から２０−６の使用が有利である。
【００４１】
以上のことから、動作時にはＳＭＤ−ＬＥＤ１４が発光し、その光が、載置面として使用される前面１９まで延びている光導体１８へと送出される。前面１９は有利には、図示されているように、フロントパネル２の少し手前に設けられており、これによりフロントパネル２側からの視認性は高まっている。フロントパネル２側から、又は、斜めから観察した際のこの視認性を高めるために、光導体１８を僅かに濁った材料又は拡散散乱性の材料から形成することができ、それにより、光導体１８の前面１９から放出される光は高い輝度で前面に配向されて放射されるのではなく、比較的大きい角度分布でもって均一に外部空間へと放出される。
【００４２】
光の屈折による損失を可能な限り少なくするために、ケーシング２２乃至ケーシングシリンダ２４と接触している光導体１８の円筒状の表面は有利には高光沢研磨されている。
【００４３】
更に、ケーシング２２又はケーシングシリンダ２４は個々の光導体１８間の光のジャンプも阻止する。特に、二つの表示面が密に隣接して配置されている場合、従ってその光導体１８が密に隣接して配置されている場合には、遮蔽効果が生じずにその種のジャンプや伝播が起こり得る。これによって、場合によっては不正確な表示が行なわれる可能性がある。本発明によるケーシングシリンダ２４の使用によって、その種のジャンプを効果的に阻止することができる。
【００４４】
ＬＥＤ１４がスイッチオフされた状態においては、光導体１８の透明なプラスチック材料又は僅かに濁ったプラスチック材料に基づき前面１９は無色であるか、又は無色に見える。特に個々のＬＥＤを識別することはできない。
【図１】
2013545118.tif 000003
【図２】
2013545118.tif 000004
【図３】
2013545118.tif 000005
【図４】
2013545118.tif 000006
【手続補正書】
【提出日】平成25年3月11日(2013.3.11)
【手続補正１】
【補正対象書類名】明細書
【補正対象項目名】００３５
【補正方法】変更
【補正の内容】
【００３５】
光導体１８は本発明による光導波システム２０の一部として形成されており、この光導波システム２０は図４において、六つの光導体群２０−１，２０−２，２０−３，２０−４，２０−５及び２０−６によって表されている。本発明によれば、光導波システム２０もしくは個々の光導体群２０−１から２０−６は、ボード１２の前面とフロントパネル２との間に配置されている。個々の光導体群２０−１から２０−６は異なる数の光導体１８を有しており、更には、フロントパネル２における表示面１９の相応の配置構成を要求するような、光導体１８相互の異なる幾何学的配置乃至相対的な配置構成を有している。ここで、光導体群２０−１から２０−５はそれぞれ複数の光導体１８を有しており、これに対し光導体群２０−６は単一の光導体１８しか有していない。光導体群２０−４は２０個から３０個、例えば２８個の光導体１８を有しており、それらの光導体１８の内の一部、例えば２４個の光導体１８は、棒状の光又は帯状の光を表示するための垂直方向の二つの列に配置されている表示フィールド１９のために設けられている。
【手続補正２】
【補正対象書類名】特許請求の範囲
【補正対象項目名】全文
【補正方法】変更
【補正の内容】
【特許請求の範囲】
【請求項１】
表示装置（１）用の光導波システム（２０）において、
前記光導波システム（２０）は一つ又は複数の光導体群（２０−１，２０−２，２０−３，２０−４，２０−５，２０−６）を有しており、
少なくとも一つの光導体群（２０−１，２０−２，２０−３，２０−４，２０−５）は、
ＬＥＤ（１４）の光に対して透過性の材料から成る複数の光導体（１８）と、
回路基板（１２）とフロントパネル（２）との間の間隔を調整する間隔保持部（３４）と、
前記光に対して透過性の材料から製造されており、前記複数の光導体（１８）をそれぞれ包囲しており、且つ、前記光導体（１８）と前記間隔保持部（３４）を重なり合って相互に接続するケーシング（２２）とを有していることを特徴とする、光導波システム（２０）。
【請求項２】
前記間隔保持部（３４）は前記ケーシング（２２）の一部として形成されている、請求項１に記載の光導波システム（２０）
【請求項３】
前記ケーシング（２２）は、前記回路基板（１２）とフロントパネル（２）との間に形成されている間隙（３０）において個々の前記光導体（１８）をそれぞれ完全に包囲している、請求項１又は２に記載の光導波システム（２０）。
【請求項４】
前記ケーシング（２２）はケーシングシリンダ（２４）及びウェブ（３８）を形成しており、
前記ケーシングシリンダ（２４）は円筒状の外周において前記光導体（１８）をそれぞれ包囲しており、
前記ウェブ（３８）は前記ケーシングシリンダ（２４）及び前記間隔保持部（３４）を相互に接続している、請求項３に記載の光導波システム（２０）。
【請求項５】
前記ウェブ（３８）は前記フロントパネル（２）に載置するために形成されている、請求項４に記載の光導波システム（２０）
【請求項６】
一つの光導体群（２０−１，２０−２，２０−３，２０−４，２０−５）の前記複数の光導体（１８）の前面（１９）は、前記表示装置（１）の表示面を形成するために、一つの共通の垂直な平面内に位置しており、前記共通の垂直な平面は前記フロントパネル（２）の平面の手前又は前記フロントパネル（２）の平面内に位置している、請求項１乃至５のいずれか一項に記載の光導波システム（２０）。
【請求項７】
前記光導体（１８）の材料は、前記光導体（１８）の前面（１９）から放出される光が外部空間全体において散乱されるように濁っているか、又は、光散乱性である、請求項１乃至６のいずれか一項に記載の光導波システム（２０）。
【請求項８】
前記ケーシング（２２）と接触している前記光導体（１８）の円筒状の表面は、光の屈折による損失を最小にするために高光沢研磨されている、請求項１乃至７のいずれか一項に記載の光導波システム（２０）。
【請求項９】
前記間隔保持部（３４）はそれぞれ、前記回路基板（１２）を前記フロントパネル（２）に固定するためのねじ又はボルト（３５）を収容するための貫通孔を有している、請求項１乃至８のいずれか一項に記載の光導波システム（２０）。
【請求項１０】
前記光導波システム（２０）は複数の別個の光導体群（２０−１，２０−２，２０−３，２０−４，２０−５，２０−６）を有しており、該複数の別個の光導体群（２０−１，２０−２，２０−３，２０−４，２０−５，２０−６）の間隔保持部（３４）は、前記フロントパネル（２）と前記回路基板（１２）との間において等しい間隔を形成するために同じ長さを有しており、且つ、複数の別個の光導体群（２０−１，２０−２，２０−３，２０−４，２０−５，２０−６）の光導体（１８）は同じ長さを有している、請求項１乃至９のいずれか一項に記載の光導波システム（２０）。
【請求項１１】
前記光導波システム（２０）は六つの光導体群（２０−１，２０−２，２０−３，２０−４，２０−５，２０−６）を有しており、
該六つの光導体群（２０−１，２０−２，２０−３，２０−４，２０−５，２０−６）の内、
第１の光導体群（２０−１）は押しボタン（６）の隣の表示フィールド（１９）用の２４個の光導体（１８）を有しており、
第２の光導体群（２０−２）はスライド式制御部（４）の表示フィールド（１９）用の、及び／又は該スライド式制御部（４）をアクティブにするためのキー用の１６個の光導体（１８）を有しており、
第３の光導体群（２０−３）はスライド式制御部（４）及び補完的なキー又はプッシュスイッチにおける表示フィールド（１９）用の１９個の光導体（１８）を有しており、
第４の光導体群（２０−４）は２０個から３０個の光導体（１８）を有しており、それらの光導体の内の一部の光導体（１８）は、棒状の光又は帯状の光を表示するための垂直方向の二つの列に配置されている表示フィールド（１９）のために設けられており、
第５の光導体群（２０−５）は５個の光導体（１８）を有しており、それらの光導体の内、３個の光導体（１８）は相互に密に隣接して配置されており、別の２個の光導体（１８）は相互に密に隣接して配置されており、
第６の光導体群（２０−６）は光導体（１８）及び間隔保持部（３４）を一つだけ有している、請求項１乃至１０のいずれか一項に記載の光導波システム（２０）。
【請求項１２】
前記第４の光導体群（２０−４）は２８個の光導体（１８）を有しており、それらの光導体の内、２４個の光導体（１８）は、棒状の光又は帯状の光を表示するための垂直方向の二つの列に配置されている表示フィールド（１９）のために設けられている、請求項１１に記載の光導波システム（２０）。
【請求項１３】
複数のＬＥＤ（１４）を制御するための回路基板（１２）と、
ユーザが観察する表示面（１９）を表すため、又は形成するためのフロントパネル（２）とを備えている、携帯可能なミキシングアンプのための表示装置（１）において、
前記複数のＬＥＤ（１４）は、ＳＭＤ−ＬＥＤ（１４）としてＳＭＤ技術により前記回路基板（１２）上に実装されており、
前記ＳＭＤ−ＬＥＤ（１４）と前記フロントパネル（２）との間には、請求項１乃至１２のいずれか一項に記載の光導波システム（２０）が設けられており、
前記光導波システム（２０）の前記光導体（１８）の後ろ側の端面（２８）は、前記ＳＭＤ−ＬＥＤ（１４）の手前又は前記ＳＭＤ−ＬＥＤ（１４）上に位置決めされており、
前記光導体（１８）の前面（１９）は、前記表示面を形成するために、前記フロントパネル（２）の手前又は前記フロントパネル内に位置決めされていることを特徴とする、表示装置（１）。
【請求項１４】
前記光導体（１８）は前記フロントパネル（２）における貫通部（２６）又は自由空間から突出しており、
前記光導体（１８）の前記前面（１９）は前記フロントパネル（２）の手前又は前記フロントパネル（２）内で一つの共通の平面に位置決めされている、請求項１３に記載の表示装置（１）。
【請求項１５】
前記光導体群（２０−１，２０−２，２０−３，２０−４，２０−５，２０−６）の前記ケーシング（２２）のウェブ（３８）は前記フロントパネル（２）の内面に載置されている、請求項１３又は１４に記載の表示装置（１）。
【請求項１６】
前記表示装置（１）は、表示及び操作装置（１）として形成されており、
前記回路基板（１２）上に調整可能な複数のポテンショメータ（１５）が設けられており、
前記ポテンショメータ（１５）を調整する操作素子（３，４，５）が前記フロントパネル（２）から張り出しており、
前記フロントパネル（２）には、前記操作素子（３，４，５）と前記ポテンショメータ（１５）との間の作用結合部のための開口部（３２）が形成されており、
前記光導体（１８）は前記間隙（３０）において、前記光導体群（２０−１，２０−２，２０−３，２０−４，２０−５，２０−６）の前記ケーシング（２２）によって前記開口部（３２）から遮蔽されている、請求項１３乃至１５のいずれか一項に記載の表示装置（１）。
【請求項１７】
前記フロントパネル（２）及び前記回路基板（１２）は、前記間隔保持部（３４）によって相互に間隔を空けて設けられており、且つ、前記間隔保持部（３４）を通って案内されるねじ又はボルト（３５）を用いて相互に固定されている、請求項１３乃至１６のいずれか一項に記載の表示装置。
【国際調査報告】
2013545118.tif 000007
2013545118.tif 000008
2013545118.tif 000009
2013545118.tif 000010
2013545118.tif 000011
2013545118.tif 000012